(57)【要約】【課題】安価に製造可能でありながら、着用時の顔の曲面へのフィット性と不着用時の省スペース性とを備えた、ウイルスを確実に遮断して人体への侵入を防止することができる高機能なマスクを提供する。【解決手段】複数のマスク用シートを積層して構成した多層式マスクであって、少なくとも最外層はＰＰＳＢ（ポリプロピレン・スパンボンド）不織布から形成されると共に、その形状は、先端狭窄状のカップ状のマスク本体に形成すると共に、基部は開口して、口及び鼻を被覆する顔当て部としてなり、しかも顔当て部の両端に、固定用の紐体を懸架してなることとした。【選択図】図８
2007229222.tif 000002
【特許請求の範囲】
【請求項１】
複数のマスク用シートを積層して構成した多層式マスクであって、
少なくとも最外層はＰＰＳＢ（ポリプロピレン・スパンボンド）不織布から形成されると共に、
その形状は、先端狭窄状のカップ状のマスク本体に形成すると共に、基部は開口して、口及び鼻を被覆する顔当て部としてなり、しかも顔当て部の両端に、固定用の紐体を懸架してなることを特徴とする多層式マスク。
【請求項２】
前記複数のマスク用シートにおいて、最外層及び最内層のマスク用シートはＰＰＳＢ（ポリプロピレン・スパンボンド）不織布マスク用シートであって、中間層のマスク用シートはＭＢ（メルトブローン）不織布マスク用シートであることを特徴とする請求項１記載の多層式マスク。
【請求項３】
前記中間層のマスク用シートは、それぞれ目の粗さの異なる複数の前記ＭＢ不織布マスク用シートからなることを特徴とする請求項２に記載の多層式マスク。
【請求項４】
前記マスク本体は、折り返して形成した上下二枚の略山型シートの左右側縁を縫合又は溶着してカップ状に形成し、折り返した略山型シートのカップ状の基部は開口して顔当て部とし、顔当て部の左右端に固定用紐体を懸架して構成したことを特徴とする請求項１〜３のいずれか１項に記載の多層式マスク。
【請求項５】
前記マスク用シートのいずれかに、使用者の所望の形状に変形可能とした帯状の金属箔を取り付けたことを特徴とする請求項１〜４のいずれか一項に記載の多層式マスク。
【請求項６】
前記マスク用シートにおける最内材層の内面に、使用者の鼻に当接する帯状のクッション材を取り付けたことを特徴とする請求項１〜５のいずれか一項に記載の多層式マスク。
【発明の詳細な説明】
【技術分野】
【０００１】
本発明は、多層式マスクに関する。
【背景技術】
【０００２】
従来、マスクは、人が密集する場所において空気感染や飛沫感染により流行するインフルエンザ等のウイルスの感染を防止するため等に使用されてきた。
【０００３】
近年では、鳥インフルエンザウイルス等の新型ウイルスの脅威に人々が脅かされており、さらに今後についてもいかなる未知のウイルスが発生するか分からないため、感染力の強いウイルスに対する不安感が増大している現状がある。
【０００４】
そのため、感染力の強いウイルスであっても高遮断・高捕集力を発揮することができる高性能なマスクの需要は増大しており、種々のマスクが提案されている。
【０００５】
例えば、マスクを光触媒層と炭素繊維層とで多層状に形成して、ウイルスなどがマスクを通過する際に光触媒層で殺菌すると共に、炭素繊維層にウイルスを吸着させ、ウイルスの人体への侵入を防止する構成のマスクが提案されている。（例えば、特許文献１参照）
また、口元及び鼻孔周辺を覆うカップ状のカバー部と、同カバー部内側に貼着されるシートカップと、同カバー部の左右両端に連設された耳掛け部とより、被覆部が顔表面の凹凸にフィットするように立体成形し、マスクと顔表面との間に生じる隙間を可及的に低減して、隙間からウイルスが侵入してしまうことを防止する構成のマスクが提案されている。（例えば、特許文献２参照）
【特許文献１】特開２０００-１９７７１１
【特許文献２】特開２００５-３２８９３７
【発明の開示】
【発明が解決しようとする課題】
【０００６】
しかしながら、上記特許文献１におけるマスクは、通過するウイルスを光触媒層で殺菌すると共に炭素繊維層でウイルスを吸着する構成として高機能化を図っているものの、光触媒層、炭素繊維層などから形成しているため２層といえどもコスト高になることが避けられなかったし、口元及び鼻孔周辺を覆う被覆体は顔の曲面にフィットし難く、マスクと顔表面との間に隙間が生じて、その隙間からウイルスが侵入する恐れがあるという問題が生じていた。
【０００７】
また、上記特許文献２におけるマスクは、顔の曲面に合うよう立体的に形成してマスクと顔表面の間に生じる隙間を可及的に軽減しているものの、立体形成の手間がかかってやはり高価になることが避けられなかったし、立体であるため収納時や載置時に場所を取り、また畳んで持ち歩いたり外力で潰れたりすると、折れ皺が入って元の形状に戻りにくく、取り扱いに気を使うという問題が生じていた。
【０００８】
このように従来のマスクは、高機能化を図ることで、高価になってしまったり取扱いが煩雑になってしまったりしていたが、ウイルス拡散防止のためには、拡散が確認された国や地域、及びその近隣の住人が誰でも負担無く入手できる、或は国や地方自治体が住民に無償配布できる程度の廉価なものであって、なおかつ高機能なマスクであることが望まれる。
【０００９】
本発明は、斯かる事情に鑑みてなされたものであって、安価に製造可能でありながら、着用時の顔の曲面へのフィット性と不着用時の省スペース性とを備えた、ウイルスを確実に遮断して人体への侵入を防止することができる高機能なマスクを提供する。
【課題を解決するための手段】
【００１０】
そこで、請求項１に係る本発明では、複数のマスク用シートを積層して構成した多層式マスクであって、少なくとも最外層はＰＰＳＢ（ポリプロピレン・スパンボンド）不織布から形成されると共に、その形状は、先端狭窄状のカップ状のマスク本体に形成すると共に、基部は開口して、口及び鼻を被覆する顔当て部としてなり、しかも顔当て部の両端に、固定用の紐体を懸架してなることを特徴とする多層式マスクとした。
【００１１】
また、請求項２に係る本発明では、請求項１記載の多層式マスクであって、前記複数のマスク用シートにおいて、最外層及び最内層のマスク用シートはＰＰＳＢ（ポリプロピレン・スパンボンド）不織布マスク用シートであって、中間層のマスク用シートはＭＢ（メルトブローン）不織布マスク用シートであることを特徴とした。
【００１２】
また、請求項３に係る本発明では、請求項２に記載の多層式マスクであって、前記中間層のマスク用シートは、それぞれ目の粗さの異なる複数のＭＢ（メルトブローン）不織布マスク用シートからなることを特徴とした。
【００１３】
また、請求項４に係る本発明では、請求項１〜３のいずれか1項に記載の多層式マスクであって、前記マスク本体は、折り返して形成した上下二枚の略山型シートの左右側縁を縫合又は溶着してカップ状に形成し、折り返した略山型シートのカップ状の基部は開口して顔当て部とし、顔当て部の左右端に固定用紐体を懸架して構成したことを特徴とした。
【００１４】
また、請求項５に係る本発明では、請求項１〜４のいずれか1項に記載の多層式マスクであって、前記マスク用シートのいずれかに、使用者の所望の形状に変形可能とした帯状の金属箔を取り付けたことを特徴とした。
【００１５】
また、請求項６に係る本発明では、請求項１〜５のいずれか一項に記載の多層式マスクであって、前記マスク用シートにおける最内層内面に、使用者の鼻に当接する帯状のクッション材を取り付けたことを特徴とした。
【発明の効果】
【００１６】
請求項１に記載の本発明では、複数のマスク用シートを積層して構成した多層式マスクであって、少なくとも最外層はＰＰＳＢ（ポリプロピレン・スパンボンド）不織布から形成されると共に、その形状は、先端狭窄状のカップ状のマスク本体に形成すると共に、基部は開口して、口及び鼻を被覆する顔当て部としてなり、しかも顔当て部の両端に、固定用の紐体を懸架してなることを特徴とする多層式マスクとしたため、多層状に構成したマスク本体がウイルスを確実に遮断・捕集する事ができて、ウイルスが侵入して口元まで到達することを防止しているし、マスク本体は、着用時に口前方に突出するカップ状の立体形態をなすため、口前方に適度な空間を生じさせて呼吸や会話がし易いし、立体形状により基部が顔の曲面に沿うようにフィットして、顔体との間に隙間が生じて隙間からウイルスが侵入してしまうことを防止している。また、ＰＰＳＢ不織布は、耐磨耗性・耐薬品性等を向上させた高強度な不織布であって、これより形成したＰＰＳＢ不織布マスク用シートを最外層に位置させることによって、強度の高い多層式マスクとする事ができるし、撥水性を持たせて飛沫の飛散によるウイルスの侵入を効果的に防止する事ができる。
【００１７】
また、請求項２に記載の本発明では、前記複数のマスク用シートにおいて、最外層及び最内層のマスク用シートはＰＰＳＢ（ポリプロピレン・スパンボンド）不織布マスク用シートであって、中間層のマスク用シートはＭＢ（メルトブローン）不織布マスク用シートであることを特徴としたため、ＰＰＳＢ不織布の原料となるポリプロピレンの性質を、最外層と最内層とで区別すれば、それぞれの層に最適なＰＰＳＢ不織布とする事ができる。すなわち、最外層に位置するＰＰＳＢ不織布には撥水性の高いポリプロピレンを、最内層には改質物の吸水性を有するポリプロピレンを、それぞれ原料とすれば、最外層において飛散してくる飛沫等を遮断して飛沫に含まれるウイルスの進入を防ぐ事ができるし、最内層においては、口から放出される水分を吸収することで、多層が水分を含んでマスクの機能が低下してしまうことを防止する事ができる。さらに、ポリプロピレンは原料が安価であるため、低コストにて本多層式マスクを製造する事ができる。また、中間層に位置させたＭＢ不織布は、超極細繊維からなる不織布であるため、繊維の超微細な目でより確実にウイルスを捕集する事ができる。
【００１８】
また、請求項３に記載の本発明では、前記中間層のマスク用シートは、それぞれ目の粗さの異なる複数の前記ＭＢ不織布マスク用シートからなることを特徴としたため、中間第１層で捕集できなかったウイルスがあったとしても、中間第２層以降で確実に捕集する事ができて、ウイルスが口元まで到達することを確実に防止する事ができる。
【００１９】
また、請求項４に記載の本発明では、前記マスク本体は、折り返して形成した上下二枚の略山型シートの左右側縁を縫合又は溶着してカップ状に形成し、折り返した略山型シートのカップ状の基部は開口して顔当て部とし、顔当て部の左右端に固定用紐体を懸架して構成したことを特徴としたため、マスク本体は、着用時に口前方に突出する、呼吸や会話のし易い立体形状に形成できながら、不使用時には上下二枚の略山形シートを重ねることにより薄く折り畳んで略平面形状とすることができるため、場所をとらず携帯・収納に便利である。また、顔当て部を顔の曲面にフィットさせる事ができるため、顔体との間に隙間が生じて隙間からウイルスが侵入してしまうことを防止している。
【００２０】
また、請求項５に記載の本発明では、前記マスク用シートのいずれかに、使用者の所望の形状に変形可能とした帯状の金属箔を取り付けたことを特徴としたため、金属箔を、装着する使用者の鼻周りにおける凹凸に合わせて形成することができ、装着時に、被覆体を顔の曲面に可及的に密着させることができて、隙間からウイルスが侵入することを防止することができる。
【００２１】
また、請求項６に記載の本発明では、前記マスク用シートにおける最内層内面に、使用者の鼻に当接する帯状のクッション材を取り付けたことを特徴としたため、マスク本体と鼻との当接箇所にクッション材が位置して、鼻当たりをよくして装着感を向上させているし、マスク本体を、鼻周辺の凹凸に合わせてより密着させることができて、マスク体と顔との間に隙間が生じてウイルスが侵入することを防止することができる。
【発明を実施するための最良の形態】
【００２２】
本発明に係る多層式マスクは、複数のマスク用シートを積層して構成した多層式マスクであって、少なくとも最外層はＰＰＳＢ（ポリプロピレン・スパンボンド）不織布から形成されると共に、その形状は、先端狭窄状のカップ状のマスク本体に形成すると共に、基部は開口して、口及び鼻を被覆する顔当て部としてなり、しかも顔当て部の両端に、固定用の紐体を懸架してなることを特徴とした。
【００２３】
すなわち、マスク本体を多層状に構成することにより、ウイルス等の捕集効率を向上させてウイルス等が口元まで到達する事を確実に防止しているし、マスク本体は、装着時に口前方に突出し、顔の曲面に沿うカップ状の立体形態とすることができる。従来の一般的な平面矩形状のマスクでは、マスク体が口に接触することで会話や呼吸を妨げ、女性であればマスク体が口紅等の化粧に接触して化粧が落ちてしまうという問題が生じていたが、本多層式マスクは上記したように装着時に口前方に突出し、マスク体と口との間に空間を生じさせているため、会話や呼吸がし易く、女性の口紅等の化粧が落ちる心配がない。
【００２４】
また、ＰＰＳＢ不織布は、耐磨耗性・耐薬品性等を向上させた高強度な不織布であって、これより形成したＰＰＳＢ不織布マスク用シートを最外層に位置させることによって、強度の高い多層式マスクとする事ができるし、撥水性の高いポリプロピレンを原料とすることにより撥水性を向上させて、唾液などの体液が飛散してきた際に最外層で遮断できて飛沫の飛散によるウイルスの侵入を効果的に防止する事ができる。
【００２５】
また、最外層及び最内層のマスク用シートはＰＰＳＢ（ポリプロピレン・スパンボンド）不織布マスク用シートであって、中間層のマスク用シートはＭＢ（メルトブローン）不織布マスク用シートであることを特徴とした。
【００２６】
すなわち、ＰＰＳＢ不織布の原料となるポリプロピレンの性質を、最外層と最内層とで適当に区別してそれぞれの性質にあったＰＰＳＢ不織布とする事ができる。すなわち、最外層に位置するＰＰＳＢ不織布には撥水性の高いポリプロピレンを、最内層には改質物の吸水性を有するポリプロピレンを、それぞれ原料とすれば、最外層において飛散してくる飛沫等を遮断して飛沫に含まれるウイルスの進入を防ぐ事ができるし、最内層においては、口から放出される水分を吸収することで、多層が水分を含んでマスクの機能が低下してしまうことを防止する事ができる。また、ポリプロピレンは原料が安価であるため、低コストにて本多層式マスクを製造する事ができる。
【００２７】
また、耐磨耗性・耐薬品性等を向上させた高強度な不織布であるＰＰＳＢにより形成した不織布マスク用シートを最外層及び最内層に位置させることで、マスク本体に強度を与える事ができるし、中間層に位置したＭＢ不織布マスク用シートは、最小繊維径１μm程の超極細繊維によりなる不織布であるため、フィルターとして機能して確実にウイルスを捕集する事ができる。
【００２８】
また、中間層のＭＢ不織布をそれぞれ目の粗さの異なる複数のＭＢ不織布マスク用シートとすれば、中間第１層を通過したウイルスであったとしても、第２層目以降で確実に捕集する事ができてウイルスが口元まで到達することを確実に防止する事ができる。
【００２９】
また、前記マスク本体は、折り返して形成した上下二枚の略山型シートの左右側縁を縫合又は溶着してカップ状に形成し、折り返した略山型シートのカップ状の基部は開口して顔当て部とし、顔当て部の左右端に固定用紐体を懸架して構成したことを特徴とした。
【００３０】
すなわち、マスク本体は、マスク本体が折り返して形成した上下二枚の略山型シートを基本形態とし、その両側縁を縫合してカップ状に形成したものであるため、携帯や保管時には折り返し部分と左右両側縁の縫合部分を折り目として二枚の略山型シートを重ねることにより平面的な収納形態とする事ができ、他方、使用に際しては、平面的に重ねた略山型シートを折り返し部と左右両側縁を中心に開口部から広げると、全体形状がカップ状となり、容易に口や鼻を被覆できる略先端先鋭状のマスク形状とする事ができる。
【００３１】
従って、装着時にはマスク体と口との間に適度な空間が生じて呼吸や会話がし易いし、女性であれば、マスク体が口紅等に接触して化粧が落ちてしまう心配がない。また、携帯・収納等の不使用時等に、本多層式マスクを折り畳んで折り皺等がついたとしても、マスク本体の立体形成に支障が無く、取扱いに気を使う必要が無い。
【００３２】
また、マスク本体が上記の形状に構成されているために、固定用紐体を後頭部に掛止して顔面にマスク本体を固定した場合、同紐体はマスク本体の開口部の両端を後方、すなわち顔面方向に引っ張ることになる。従って、マスク本体そのものが略山型シートの折り返し形状で重ねて形成しているため、必然的に開口部、すなわち略山型シートの底辺両端部に引っ張り応力がかかり同シートは中心方向に向かって変位することになり、必然的に重ねた或いは拡げた略山型シートは、開口部の上で開口幅を更に大きくし、口及び鼻の周辺を余裕を持って被覆する事ができ、かつ顔面の曲面にフィットした状態に密着固定する事が可能となる。
【００３３】
また、前記マスク用シートのいずれかに、使用者の所望の形状に変形可能とした帯状の金属箔を取り付けたことを特徴とした。
【００３４】
すなわち、金属箔を、装着する使用者の鼻周りにおける凹凸に合わせて形成することができ、装着時に被覆体を顔の曲面に可及的に密着させて、隙間からウイルスが侵入することを防止している。
【００３５】
また、前記マスク用シートにおける最内層内面に、使用者の鼻に当接する帯状のクッション材を取り付けたことを特徴とした。すなわち、マスク本体と鼻との当接箇所にクッション材が位置して、鼻当たりをよくして装着感を向上させているし、マスク本体を、鼻周辺の凹凸に合わせてより密着させることができて、マスク体と顔との間に隙間が生じてウイルスが侵入することを防止している。
【００３６】
以下、本発明に係る多層式マスクの実施の形態について、図面を参照して説明する。
【００３７】
図１〜図６に示すように、本実施形態における多層式マスクＡは、２つの略山型のシート体が対向してなる袋状のマスク本体１０と、マスク本体１０における基部１２の角部に取り付けた、顔面固定用の紐体１１とから構成している。
【００３８】
マスク本体１０は、図７に示すように、第１〜第４のマスク用シート１〜４を積層することにより４層構成のマスク本体１０としている。
【００３９】
ここで、第１〜第４のマスク用シート１〜４はそれぞれ、後述する異なる性質を有する不織布を、略山型が短手底辺を対称軸として上下対称に位置するよう、中央部が８の字型にくびれた形状に型抜いて形成しており、型抜いた各マスク用シート１〜４を、第１のマスク用シート１を最外層として、同第１のマスク用シート１の内側に第２のマスク用シート２、第２のマスク用シート２の内側に第３のマスク用シート３、第３のマスク用シート３の内側には第４のマスク用シート４を最内層として積層することにより、４層に構成している。そして、４層となったマスク用シートの対称軸線１８にて折り返して上下の山型状を重ね合わせ、両側縁１６，１６を溶着などして接着させれば、略山型の積層シート体７，８が対向してなる袋形状となすことができる。
【００４０】
この際、積層したマスク用シート１〜４の対称軸線１８上にて４層を溶着して、マスク用シート１〜４を一体となした後、折り返して両側縁１６，１６を溶着等すれば、たるみやよれ等を生じさせずにマスク本体１０を袋状に形成する事ができる。
マスク本体１０において、第１〜第４のマスク用シート１〜４は、専用の金型で型抜いた後積層して溶着すればよいのであって、立体成形マスクのようにマスク本体を製造過程において立体形成する必要がないため、製造作業における手間がかからず低コストにて生産することができる。
【００４１】
第１のマスク用シート１は、撥水性を有する不織布により形成しており、特にＰＰＳＢ（Polypropylene Spun Bondedポリプロピレン・スパンボンデッド）不織布で形成することが望ましい。
【００４２】
ＰＰＳＢ不織布は、ポリプロピレンを原料として耐磨耗性・耐水性・耐薬品性を向上させた高強度な不織布であり、この第１のマスク用シートにおいては撥水性を有するポリプロピレンを原料とすることにより高撥水性能の不織布としている。また、スパンボンド法により原料から直接紡糸してシート化するため、生産性にすぐれ低コストであって、さらに連続長繊維であるため、一般的に短繊維不織布より強度を向上させることができる。
【００４３】
このような特性を持つＰＰＳＢ不織布を、最外層に位置する第１のマスク用シートに用いることにより、唾液や体液及び血液等の飛沫が飛散してきた場合にも、内層に浸透することを阻止して飛沫に含まれるウイルスの進入を防ぐことができる。
【００４４】
第２のマスク用シート２は、第１のマスク用シート１よりも微細な繊維から成る医療用の抗菌不織布により形成しており、特にＭＢ（Melt Blownメルトブローン）不織布により形成することが望ましい。メルトブローン不織布は、メルトブローン法により１〜３μmの超極細繊維で不織布を形成し、フィルターとして構成することができ、したがって第１層を通過したウイルスであってもこの微細な繊維の目によって確実に捕集する事ができる。また、この第２のマスク用シート２は、前記した第１のマスク用シート１よりもやや肉厚とすると、より捕集効果を上げる事ができて好ましい。
【００４５】
第３のマスク用シート３は、帯電性を有する不織布により形成し、特に第２のマスク用シート２と同様にＭＢ不織布により形成することが望ましい。また、例えばポリエステルを原料とする不織布とすれば静電気を良好に帯電することができ、第２層を通過したウイルスであったとしても、表面に効果的に吸着させて捕集する事ができる。これにより第２、第３のマスク用シート２，３からなる中間層をフィルター状に構成することができ、主として浮遊病原菌等の通過を効果的に阻止することができる。この第３のマスク用シート３は、相対的に第２のマスク用シート２よりも微細な目を有する不織布より形成し、中間層を目の粗さの異なる不織布より構成することにより捕集効率を向上させている。加えて第２のマスク用シート２よりもやや肉厚とすると、この第３層において良好に帯電させる事ができて好ましい。
【００４６】
第４のマスク用シート４は、第１層と同様にＰＰＳＢ不織布により形成する。第４のマスク用シート４においては、吸水性を有する改質物のポリプロピレンを原料とすることにより、吸水性・拡散性の高い不織布とすることができて、使用者の口から放出される水分を吸収して、多層が水分を含むことによるマスクの機能低下を防止することができる。
【００４７】
上記のように第１〜第４のマスク用シートを積層する構成によれば、まず、第１のマスク用シート１でウイルスの大半を吸着し、これより内層側でのウイルス吸着量を減じ、第２のマスク用シート２でウイルスを完全に遮断する。そして、万一各マスク用シート１,２を通過したウイルスがあったとしても、静電気を帯電させた第３のマスク用シート３によって確実に遮断する。さらに、第４のマスク用シート４により、使用者の口から出る水分を吸着して、他層の機能が低下することを防止している。
【００４８】
なお、第１〜第４のマスク用シート１〜４を積層する順番は、上記したものに限らないが、特に上記の順番で積層して構成すると、それぞれの機能を生かして最大の効果を発揮させることができ、望ましい。
【００４９】
また、マスク本体１０において、最外層に位置する第１のマスク用シート１の、少なくとも一側部における外面には、基部１２に沿って左右方向に伸延する帯状の金属箔５を取り付けている。なお、本実施形態において金属箔５は、第１の積層シート体７外面に取り付けることとしている。
【００５０】
金属箔５は、多層式マスクＡを装着する際に使用者Ｈの鼻部分に位置し、可撓性のある素材によって形成して使用者Ｈの所望の形状に変形させることができるようにしている。したがって、金属箔５の変形に伴って、マスク本体１０の形状を使用者Ｈの所望の形状、例えば使用者Ｈの顔面形状であって特に鼻の凹凸形状に沿って変形させることができるようにしている。
【００５１】
マスクと顔表面との間に隙間が生じ易いのは特に鼻周りであるため、このようにして、金属箔５を多層式マスクＡの装着時に使用者Ｈの顔面形状に沿って変形させた場合には、マスク本体１０を使用者Ｈの顔面に密着させた状態で装着することができ、隙間からのウイルスの侵入を防止することができる。
【００５２】
また、マスク本体１０において、最内層に位置する第４のマスク用シート４の、前記金属箔５を取り付けた側部の内面であって金属箔５と略重なり合う位置に、基部１２に沿って左右方向に伸延する、金属箔５と略同一の大きさに形成した帯状のクッション材６を取り付けている。なお、本実施形態においてクッション材６は、金属箔５を取り付けた第１の積層シート体７の内面に取り付けることとしている。
【００５３】
クッション材６は、例えばウレタン素材等により２〜５ｍｍ程度の厚みを持たせて形成しており、多層式マスクＡを装着した際には使用者Ｈの鼻との当接材となる。
【００５４】
顔面形状にフィットさせるため金属箔を取り付けたマスクは従来も提案されているが、金属箔が可撓性を有していたとしても、やはり金属であるためある程度硬質であり、場合によっては使用者が鼻に痛みを感じる事があったが、本多層式マスクＡにおいては、同クッション材６を緩衝材として使用することで、多層式マスクＡの装着時、使用者Ｈが鼻に違和感を覚えたり痛みを感じたりすることを防止し、鼻当たりをソフトにすることで付け心地を向上させている。
【００５５】
このクッション材６は、使用者の好みに合わせて低反発ウレタンや高反発ウレタンを選択できるようにすると、鼻とマスク体とのフィット感をそれぞれの使用者に最適な状態とする事ができる。
【００５６】
また、このクッション材６のクッション性により、よりマスク本体１０と顔表面とを密着させる事が出来て、隙間が生じてウイルス等が侵入してしまうことを防止している。
【００５７】
前記金属箔５は、ここでは最外層である第１のマスク用シート１の外面に取り付けることとしたが、層内に取り付けても良く、着用時にクッション材６を介して鼻部分に位置すればこれに限られない。
【００５８】
マスク本体１０の開口部１３における左右両端の角部、すなわち、略山型シートの長手底辺左右角部を外方に折曲して角部先端１５をマスク本体１０に固着し、両折返し部分に形成された挿通空間部１４，１４のそれぞれに固定用紐体１１を挿通するように構成している。
【００５９】
この場合、この挿通空間部１４，１４に挿通した紐体１１は、図６に示すように、角部の折返し片が略二等辺三角形状となるため、この三角形状の左右二辺からそれぞれ引出された形態となり、従って、折返し片の左右二辺から導出した紐体は、略二等辺三角形の底辺を間に挟んでそれぞれ左右二辺の傾斜辺に沿って上方斜めと下方斜めの二股に分岐した状態で後方に導出される。このとき、金属箔５及びクッション材６を取り付けてなる第１の積層シート体７側に導出された紐体部を上紐体１９、第２の積層シート体８側に導出された紐体部を下紐体２０とする。
【００６０】
固定用紐体１１は、図８に示すように、装着の際、上方斜めに分岐した上紐体１９を後頭部上部に、下方斜めに分岐した下紐体２０を後頭部下部に掛止すると、マスク本体の開口部を更に上下に開口しやすく、またマスク本体を安定して顔面に固定する事ができる。
【００６１】
すなわち、この上下斜め方向に等出した上下紐体１９，２０は、マスク本体１０の両側端から上方斜め及び下方斜めに分岐し、後頭部分において、上下に隔たりをもって後頭部を掛止することになる。従って、上下の紐体１９，２０が一ヶ所によることに伴いマスク本体１０の顔面安定を損なうという不測の事態を防止する事ができる。
【００６２】
また、マスク本体１０が上記した形状に構成されているために、固定用紐体１１を前述したように後頭部に掛止して顔面にマスク本体１０を固定した場合、同紐体１１はマスク本体１０の開口部１３の両端を後方（顔面方向）に引っ張ることになる。従って必然的に開口部１３、すなわち略山型シートの長手底辺両端部に引っ張り応力がかかり同シートは中心方向に向かって変位することになり、積層した略山型シートは、開口部１３における開口幅を更に大きくし、口及び鼻の周辺を余裕を持って被覆する事ができ、かつ顔面の曲面にフィットした状態に密着固定する事が可能となる。
【００６３】
上記してきたような構成の多層式マスクＡとすることにより、高機能な多層式マスクとする事ができ、顔表面に密着させて隙間を生じさせずウイルスの侵入を防ぎ事ができる。また、それぞれの機能を有するマスク用シートを、それぞれの効果を最大限に発揮できるような積層順に構成することでより確実にウイルスを遮断・捕集する事ができる。
【００６４】
更に、上記構成によれば、本実施形態にかかる多層式マスクＡは血液不浸透性にも優れた多層式マスクとする事が出来る。
【００６５】
下記に示す表１は、本実施形態に係る多層式マスクＡの、血液透過性をについて試験した測定結果を示したものである。これは、０．０７６μｍのＮａｃｌの微粒子を含む濃度１２〜２０ｍｇ／ｍ３の水溶液を血液の代替として、毎分３２Ｌの流量におい
て測定したものであって、表１に示すように、本多層式マスクは、血液不透性に優れ、９９．８２〜９９．８６％の高い遮断率を有する高機能なマスクとする事ができた。
【００６６】
【表１】
2007229222.tif 000003
したがって、医療従事者が、外科手術時や患者の口内などの処置時などに患者の患部から血液や体液などが飛散することによる病原菌の吸引防止やＡＩＤＳ感染の防止のためにも、本多層式マスクを使用する事が可能であって、高い効果を発揮する事ができる。
【図面の簡単な説明】
【００６７】
【図１】本実施形態にかかる多層式マスクの斜視図である。
【図２】本実施形態にかかる多層式マスクの正面図である。
【図３】本実施形態にかかる多層式マスクの背面図である。
【図４】本実施形態にかかる多層式マスクの平面図である。
【図５】本実施形態にかかる多層式マスクの底面図である。
【図６】本実施形態にかかる多層式マスクの右視側面図である。
【図７】本実施形態にかかる多層式マスクの断面及び一部拡大説明図である。
【図８】本実施形態にかかる多層式マスクの使用形態における説明図である。
【符号の説明】
【００６８】
Ａ  多層式マスク
１  第１のマスク用シート
２  第２のマスク用シート
３  第３のマスク用シート
４  第４のマスク用シート
５  金属箔
６  クッション材
７  第１の積層シート体
８  第２の積層シート体
１０  マスク本体
１１  紐体
１２  基部
１３  開口部
１４  挿通空間部
１５  先端部
１６  側縁部
１８  対称軸線部
１９  上紐体
２０  下紐体
Ｈ  使用者
Ｎ  鼻
【図１】
2007229222.tif 000004
【図２】
2007229222.tif 000005
【図３】
2007229222.tif 000006
【図４】
2007229222.tif 000007
【図５】
2007229222.tif 000008
【図６】
2007229222.tif 000009
【図７】
2007229222.tif 000010
【図８】
2007229222.tif 000011